(57)【特許請求の範囲】
【請求項１】
編み組織で連続的に筒状に編成してなり、上縁及び下縁に伸縮性の腰ベルト(10)及び裾ベルト(11)を有する妊婦用コルセットにおいて、
前サポート部(2)、後サポート部(3)、腹部被覆部(4)、臀部被覆部(5)、腰部被覆部(8)、大腿部被覆部(9)、及び後腰サポート部(12)を形成し、
前記前サポート部(2)は、側腰サポート部(13)から下腹サポート部(14)に至る構成部分とし、
後サポート部(3)は、幅広の臀部サポート部(15)から臀裂部サポート部(16)に至る構成部分とし、
腹部被覆部(4)は前部正面に、臀部被覆部(5)は後部に設け、
臀部被覆部(5)間には後部中央ライン部(17)を設けたものとし、
後腰サポート部(12)は後面において腰を覆う構成部分とし、
腰部被覆部(8)は、前記後腰サポート部(12)と腰ベルト(10)間に配設した構成部分とし、
大腿部被覆部(9)は、側腰サポート部(13)と臀部サポート部(15)との間に配設した構成部分とし、
前サポート部(2)及び後サポート部(3)は、夫々後腰サポート部(12)と連続して縦方向の伸縮を抑えた編組織で構成し、
前記腹部被覆部(4)と臀部被覆部(5)は、縦横両方向への伸縮性を充分に有する編組織で構成し、
前記後部中央ライン部(17)は、後サポート部(3)を構成する編み組織より縦方向の伸びを抑えた編み組織で編成したことを特徴とする妊婦用コルセット。
【発明の詳細な説明】
【０００１】
【発明が属する技術分野】
本発明は、妊娠した女性が身体の負担を軽減するために着用する、妊婦用コルセットに関するものである。
【０００２】
【従来の技術】
妊娠した女性が身体の負担を軽減するために着用するものとして、例えば特開平９−３７０２号公報に記載されているように、縦横両方向への伸縮性を有する編み組織と、縦方向の伸縮を抑えた編み組織とを備え、腹部中央部および臀部を縦横両方向への伸縮性を有する編み組織で構成したことを特徴とする妊婦用ショーツが知られている。
【０００３】
上記従来の妊婦用ショーツは腹部中央部と臀部を縦横両方向への伸縮性を有する編み組織で構成し、それ以外の部分（サポート部）を縦方向の伸縮性を抑えた編み組織で構成してあり、胎児の成長により腹部が大きくなっても、各編成部のお互いの引っ張り力が総合されて腹部に作用し、妊婦の腹部全体が常に安定した位置に保持される効果があるとされている。
【０００４】
【発明が解決しようとする課題】
妊婦の体型は腹部が膨出している点で共通するが、膨出の状態には個人差がある。さらに、同じ妊婦であっても、妊娠中期までは腹部の中央部が膨出する傾向があり、妊娠期間が経過するに伴って、膨出する部分が腹部の中央部から下部へ変化する傾向にある。したがって、膨出部の位置の変化に伴い、膨出した腹部を支えるサポート部の位置を調節する必要がある。
【０００５】
しかし、上記従来の妊婦用ショーツは、下方に形成された脚穴に脚を入れて着用するものであるから、妊婦の身長と、妊婦用ショーツのサイズの関係で着用時のサポート部の位置が定まってしまい、サポート部が上過ぎたり下過ぎた位置に来て、適切に腹部を保持できない場合や、使用開始当初は腹部保持効果を得ることができても、前述のように膨出部の位置変化により満足な効果を得られなくなる場合があった。
【０００６】
日常生活においても、例えば用足しを行う場合、妊婦用ショーツを着用した状態では用足しを行うことができず、下まで降ろしてから行う必要がある。しかし、妊婦用ショーツは腹部を覆うように着用するため、上衣を着用した状態で下まで降ろす動作、あるいは元の状態に戻す動作は非常に面倒であり、妊婦への負担が大きいものであった。
【０００７】
また、腹部を安定した位置に保持するため、腹部を下から支えるとともに、横振れを防止することが必要である。このとき腹部の周囲を一様に保持するべきでなく、下からの保持力を横からの保持力より強くすることが好ましい。すなわち、腹部の横からの保持力が必要以上に強いと、妊婦は圧迫感を感じ、体調に異変をきたす畏れもあるからであり、横からの保持力は適度に弱めることが好ましい。
【０００８】
しかし、上記従来の妊婦用ショーツは、サポート部を一様な編み組織で構成しているため、最適な保持力を得ることが困難であった。すなわち、下からの保持力は、腰から連続するサポート部が腹部のサポート部を吊り上げるように作用することにより得られるため、横のサポート部の強さと密接に関係し、下からの保持力を増すため横のサポート部の強さを増すと、横からの保持力が大きくなりすぎて、妊婦に圧迫感を覚えさせることになり、反対に横のサポート部を弱くすると、上に吊り上げる力が弱まり、下からの保持力が低下するからである。
【０００９】
また、腹部を安定した位置に保持するとともに、臀部を保持し、腰及び尻にフィット感を得ることが好ましく、臀部の保持においても妊婦が圧迫感を感じないようにする必要がある。
【００１０】
しかし、上記従来の妊婦用ショーツは、サポート部が臀部の側方に設けられており、側方から後部中央に向かって保持する作用はあるものの、下からの保持力を充分に得ることができないものである。一方、サポート部だけを強めて保持力を得ようとすると、臀部の側部における圧迫感が惹起される結果となる。
【００１１】
【課題を解決するための手段】
本発明は、上記課題を解決すべくなされたものであって、編み組織で連続的に筒状に編成してなり、上縁及び下縁に伸縮性の腰ベルト(10)及び裾ベルト(11)を有する妊婦用コルセットにおいて、前サポート部(2)、後サポート部(3)、腹部被覆部(4)、臀部被覆部(5)、腰部被覆部(8)、大腿部被覆部(9)、及び後腰サポート部(12)を形成し、前記前サポート部(2)は、側腰サポート部(13)から下腹サポート部(14)に至る構成部分とし、後サポート部(3)は、幅広の臀部サポート部(15)から臀裂部サポート部(16)に至る構成部分とし、腹部被覆部(4)は前部正面に、臀部被覆部(5)は後部に設け、臀部被覆部(5)間には後部中央ライン部(17)を設けたものとし、後腰サポート部(12)は後面において腰を覆う構成部分とし、腰部被覆部(8)は、前記後腰サポート部(12)と腰ベルト(10)間に配設した構成部分とし、大腿部被覆部(9)は、側腰サポート部(13)と臀部サポート部(15)との間に配設した構成部分とし、前サポート部(2)及び後サポート部(3)は、夫々後腰サポート部(12)と連続して縦方向の伸縮を抑えた編組織で構成し、前記腹部被覆部(4)と臀部被覆部(5)は、縦横両方向への伸縮性を充分に有する編組織で構成し、前記後部中央ライン部(17)は、後サポート部(3)を構成する編み組織より縦方向の伸びを抑えた編み組織で編成したことを特徴とする妊婦用コルセットを基本とする。
【００１２】
また、下腹伸止部(7)を前部正面において下腹サポート部(14)の上側に配設し、該下腹伸止部(7)を構成する編み組織を、前サポート部(2)を構成する編み組織より、縦方向の伸縮を低く抑えた編み組織とすることもできる。
【００１３】
また、後部中央ライン部(17)を後サポート部(3)を構成する編み組織より縦方向の伸びを抑えた編み組織で編成するようにしてもよい。
【００１４】
尚、後腰サポート部(12)と、これに連続する前サポート部(2)、後サポート部(3)は各々縦方向の伸縮を抑えた編み組織で構成すればよく、すべての構成部分を同じ特性を有する編み組織で構成する必要はない。よって、後腰サポート部(12)のみをより伸縮を抑えた編み組織で構成することができ、前サポート部(2)と後サポート部(3)をそれぞれ伸縮特性の異なる編み組織で構成することもできる。
【００１５】
【発明の効果】
上記本発明の構成によれば、個人差により腹部の膨出位置が異なっていたり、妊娠期間の経過により腹部の膨出位置が変化した場合であっても、妊婦用コルセット(1)を上げ下げして着用状態を微調整することができ、膨出した腹部を支える前サポート部(2)の位置が最適位置にくるように着用することができる。よって、腹部の膨出位置にかかわらず、妊婦の腹部を安定した位置に保持する効果を得ることができる。また、用足しの場合などにも、妊婦用コルセット(1)の裾部分をわずかにたくし上げるだけで足りるため、妊婦用コルセット(1)を下まで降ろす動作、あるいは元の状態に戻す動作が不要で、妊婦への負担を軽減することができる。
【００１６】
腹部を下から支える保持力は、後腰サポート部(12)から連続する側腰サポート部(13)が下腹サポート部(14)を吊り上げるように作用することにより得られ、さらに下腹伸止部(7)を前サポート部(2)の上側に配設したことにより、下腹サポート部(14)だけでは編み組織が伸びてしまうことで損失されていた下からの保持力が損失されなくなり、必要な保持力を得られる。そして、側腰サポート部(13)を必要以上に強くしなくても下腹サポート部(14)による下からの保持力を確保できるため、側腰サポート部(13)による腹部の横からの保持力を適切な強さとすることができ、妊婦に圧迫感を与えることがない。
【００１７】
後腰サポート部(12)から両臀部の側方に沿う臀部サポート部(15)に連続し、臀裂部サポート部(16)へ至るとともに、後腰サポート部(12)から後部中央ライン部(17)に連続して臀裂部サポート部(16)に至る構成部分である後サポート部(3)を形成するとともに、後部中央ライン部(17)を後サポート部(3)を構成する編み組織より縦方向の伸びを抑えた編み組織で編成したため、臀部サポート部(15)によって臀部を側方から後部中央に向かって保持する作用を有するだけでなく、後部中央ライン部(17)による臀部の吊り上げ力が確保でき、臀部の下からの保持力を充分に得ることができる。
また、臀部サポート部(15)を必要以上に強くせずとも、後部中央ライン部(17)による臀部の吊り上げ力が確保できるため、臀部サポート部(15)の保持力を適度に弱めても充分な吊り上げ効果が発揮されて尻の保持効果を得ることができ、臀部の側部における圧迫感が回避されることとなる。また、臀部の下に臀部サポート部(15)を幅広く形成することができ、尻に対するフィット感を従来より増すことができるとともに、局所的な圧迫感がない。
【００１８】
以上、本発明によって上記課題を解決する妊婦用コルセット(1)を提供することができる。
【００１９】
【発明の実施の形態及び実施例】
本発明に係る妊婦用コルセット(1)を実施例により説明すると、まず図１は実施例１にかかる妊婦用コルセット(1)の正面簡略図、図２は実施例１にかかる妊婦用コルセット(1)の後面簡略図、図３は実施例１にかかる妊婦用コルセット(1)の側面簡略図、図４は下腹サポート部(14)を複数箇所に形成した妊婦用コルセット(1)の正面簡略図、図５は実施例２にかかる妊婦用コルセット(1)の後面簡略図、図６は実施例１の妊婦用コルセット(1)を着用した状態の前面斜視簡略図、図７は実施例１の妊婦用コルセット(1)を着用した状態の後面斜視簡略図である。
【００２０】
本発明の実施例１にかかる妊婦用コルセット(1)は図６及び図７に示すように、着用時には腹部の膨出部の上方から大腿部の上方までを覆うものであり、上縁と下縁に伸縮性のある腰ベルト部(10)と裾ベルト部(11)を有し、連続的に筒状に編成されるものである。よって、妊婦用コルセット(1)は一体的に編成されるものであるが、説明の便宜上、前サポート部（2）、後サポート部（3）、腹部被覆部(4)、臀部被覆部(5)および下腹伸止部(7)に分けて、各構成部分ごとに説明する。また、各構成部分を成す編み組織は各構成部分ごとに特性に相違があり、編み組織に以下の名称を用いて説明する。
縦横両方向への伸縮性を充分に有する編み組織「伸び組織Ａ」
縦方向の伸縮を「伸び組織Ａ」よりも低く抑えた編み組織「縦伸び抑え組織Ｂ」
縦方向の伸縮を「伸び抑え組織Ｂ」よりも低く抑えた編み組織「縦伸び抑え組織Ｃ」
縦方向の伸縮を「伸び抑え組織Ｃ」よりも低く抑えた編み組織「縦伸び止め組織Ｄ」
【００２１】
前記腹部被覆部(4)は図１に示すように妊婦用コルセット(1)の前部正面において、腹部を覆う構成部分であり、腹部を正面から圧迫しないようにするため、縦横両方向への伸縮性を充分に有する「伸び組織Ａ」を用いて構成している。上縁部は腰ベルト部(10)に接し、下縁部の形状は、着用時に腹部の上部と中央部を覆って前方に膨出するよう半楕円形として、腹部の丸みに応じた立体形状を有する。
【００２２】
前記臀部被覆部(5)は図２に示すように妊婦用コルセット(1)の後面において、両臀部を覆う構成部分であり、「伸び組織Ａ」を用いて構成している。着用時にそれぞれが臀部を覆って膨出するよう楕円形で、臀部を圧迫しないようにするため、臀部の丸みに応じた立体形状を有しており、後記後部中央ライン部(17)の両側に左右対称に配設される。
【００２３】
後腰サポート部(12)は、図２に示すように妊婦用コルセット(1)の後面において腰を覆う構成部分であって、縦方向の伸縮を抑えた編み組織「縦伸び抑え組織Ｃ」を用いて構成している。従って、図７に示すように妊婦用コルセット(1)を着用した際に妊婦の腰部に位置し、横方向への伸張により腰部を適度に引き締めるとともに下にずれないように密着して腰へのフィット感を得る効果を発揮する。また縦方向への伸びは抑えられているため、下方向へ引っ張られても伸びず、これに連続する構成部分を支える作用を発揮する。
【００２４】
前サポート部(2)は、図１および図３に示すように前記後腰サポート部(12)から連続する構成部分であって、側腰サポート部(13)と下腹サポート部(14)からなり、縦方向の伸縮を抑えた編み組織「縦伸び抑え組織Ｃ」を用いて構成している。前サポート部(2)は、主として腹部を持ち上げる作用と、腹部の横振れを抑える作用により腹部を支え、腹部全体を安定した位置に保持することを目的とする。すなわち、図６に示すように、下腹サポート部(14)は妊婦用コルセット(1)を着用した際に妊婦の下腹部に位置し、横方向への伸張により腹部を適度に引き締めるとともに上にずれないように密着する。縦方向への伸びは抑えられているため、上方向へ引っ張られても伸びず、腹部を支える作用を発揮する。そして、側腰サポート部(13)では縦方向への伸縮を抑えた「縦伸び抑え組織Ｃ」が縦から斜め方向に用いられるため、側腰サポート部(13)の伸びは少ない。よって下腹部に接する下腹サポート部(14)が、腰に接する前記後腰サポート部(12)を起点として側腰サポート部(13)で斜め上方に吊り上げられる態様になり、妊婦の腹部を持ち上げる作用を発揮することになる。また、腹部の横振れは側腰サポート部(13)が伸びにくいことによって抑えられる。
【００２５】
下腹伸止部(7)は、図１及び図３に示すように、前部正面において前サポート部(2)とともに主として腹部を持ち上げる作用を発揮する構成部分であって、前記腹部被覆部(4)の下縁と前サポート部(2)の上縁に挟まれる位置に配設され、中央部が幅ひろく、両端が狭い半月形状を有している。該下腹伸止部(7)は縦方向の伸縮を「伸び抑え組織Ｃ」よりも低く抑えた編み組織「縦伸び止め組織Ｄ」を用いているため、縦方向の伸縮はほとんどなく、横方向の伸縮も抑えられている。従って、腹部の重みが最も作用する正面中央部において腹部の膨出を抑えるとともに腹部を下から支える態様となる。
【００２６】
下腹伸止部(7)は、正面中央において最も縦伸びを抑え、側方に行くに従って腹部を圧迫する作用を低減する必要があるため、中央部が幅ひろく、両端が狭い半月形状を有することが好ましいが、これに限定されず、同様の効果を奏する帯形状であればよい。また、側腰サポート部(13)、下腹サポート部(14)も同様に正面中央において最も縦伸びを抑え、側方に行くに従って腹部を圧迫する作用を低減する必要があるため、正面中央部を幅ひろく、側方を幅狭くすることが好ましいがこれに限定されず、同様の効果を奏する限り、一定の幅を有する帯形状とすることもできる。さらに、下腹伸止部(7)を複数箇所に形成することもでき、図４に示すように下腹伸止部(7)を正面中央において下腹サポート部(14)の上下に配設するように構成してもよい。この場合には、より確実に妊婦の腹部を支えることができて好ましい。
【００２７】
一方、後サポート部(3)は、図２、図３に示すように前記後腰サポート部(12)から連続する構成部分であって、両臀部の側方に沿う臀部サポート部(15)と臀裂部サポート部(16)および、後部中央ライン部(17)から臀裂部サポート部(16)に至る構成部分である。後部中央ライン部(17)を除いて、「縦伸び抑え組織Ｃ」を用いており、後部中央ライン部(17)では縦方向への伸縮を抑えた「縦伸び止め組織Ｄ」を用いている。後サポート部(3)は主として両臀部を引き上げる作用と中央に寄せる作用により臀部を支え、尻全体を安定した位置に保持するとともに、腰及び尻のフィット感を増すものである。
【００２８】
すなわち、前記臀裂部サポート部(16)は着用した際に妊婦の臀部の下から臀裂部に位置し、横方向への伸張により腰部を適度に引き締めるとともに下にずれないように密着する。縦方向への伸びは抑えられているため、上方向へ引っ張られても伸びずに臀部を支える作用を発揮する。臀部サポート部(15)では縦方向への伸縮を抑えた「縦伸び抑え組織Ｃ」を縦から斜め方向に用いて、伸びを少なくしており、臀部と臀裂部に接する臀裂部サポート部(16)が、前記後腰サポート部(12)を起点として臀部サポート部(15)で上方に吊り上げられる態様になり、また、後部中央ライン部(17)では「縦伸び止め組織Ｄ」を用いているため、臀裂部サポート部(16)の中央部も後腰サポート部(12)によって吊り上げられる態様になって、これらにより臀部を保持する作用を発揮することになる。さらに臀部サポート部(15)が伸びにくいことにより両臀部が側方から保持される作用をも発揮する。後部中央ライン部(17)はその全体を「縦伸び止め組織Ｄ」で形成するほか、一部を「縦伸び止め組織Ｄ」で形成し、他の部分を臀部サポート部(15)等に用いられる「縦伸び抑え組織Ｃ」を用いて形成してもよい。また、後部中央ライン部(17)は全く伸びない組織を用いることもできる。
【００２９】
腰部被覆部(8)は図２に示すように前記後腰サポート部(12)と腰ベルト部(10)の間に配設される構成部分であって、前記後腰サポート部(12)と協働して腹部と臀部を支える作用を有し、腰部へのフィット感を高め、腰を曲げた際の圧迫感を軽減するため、縦方向の伸縮を「伸び組織Ａ」よりも低く抑えた編み組織「縦伸び抑え組織Ｂ」で構成される。
【００３０】
大腿部被覆部(9)は図３に示すように側腰サポート部(13)と臀部サポート部(15)の間に配設される構成部分であって、側腰サポート部(13)および臀部サポート部(15)と協働して腹部と臀部を支える作用を有し、大腿部上部へのフィット感を高めるとともに、着用時に妊婦用コルセット(1)が上方にずれることを防止するため、縦方向の伸縮を「伸び組織Ａ」よりも低く抑えた編み組織「縦伸び抑え組織Ｂ」で構成される。
【００３１】
本発明の実施例２にかかる妊婦用コルセット(1)は、図５に示すように、臀部被覆部(5)の大きさを実施例１の妊婦用コルセット(1)における臀部被覆部(5)より大きくするとともに、臀部被覆部(5)を構成する編み組織よりやや縦横両方向への伸縮性を抑えた編み組織を用いて、臀部被覆部(5)の上部に臀部補強部(18)を編成したことを特徴とする。臀部被覆部(5)の大きさを拡大して、臀部に感じる圧迫感をより低減するとともに、臀部の形状の個人差と臀部被覆部(5)の大きさを拡大したことにより生ずる生地のもたつきを防止するために、臀部補強部(18)にのみ伸縮性をやや抑えた編み組織を用い、臀部へのフィット感を増すことができる。
【図面の簡単な説明】
【図１】実施例１にかかる妊婦用コルセット(1)の正面簡略図である。
【図２】実施例１にかかる妊婦用コルセット(1)の後面簡略図である。
【図３】実施例１にかかる妊婦用コルセット(1)の側面簡略図である。
【図４】下腹サポート部(14)を複数箇所に形成した妊婦用コルセット(1)の正面簡略図である。
【図５】実施例２にかかる妊婦用コルセット(1)の後面簡略図である。
【図６】実施例１の妊婦用コルセット(1)を着用した状態の前面斜視簡略図である。
【図７】実施例１の妊婦用コルセット(1)を着用した状態の後面斜視簡略図である。
【符号の説明】
１    妊婦用コルセット
２    前サポート部
３    後サポート部
４    腹部被覆部
５    臀部被覆部
７    下腹伸止部
８    腰部被覆部
９    大腿部被覆部
１０  腰ベルト部
１１  裾ベルト部
１２  後腰サポート部
１３  側腰サポート部
１４  下腹サポート部
１５  臀部サポート部
１６  臀裂部サポート部
１７  後部中央ライン部
１８  臀部補強部
【図１】
0003554931.tif 000002
【図２】
0003554931.tif 000003
【図３】
0003554931.tif 000004
【図４】
0003554931.tif 000005
【図５】
0003554931.tif 000006
【図６】
0003554931.tif 000007
【図７】
0003554931.tif 000008